(57)【要約】【課題】通帳を画像情報に基づいて処理する際のセキュリティを向上できる。【解決手段】通帳処理装置１０は、制御部１１、画像読取部１２、磁気読取部１３、印刷部１４、記憶部１５を備える。画像読取部１２は、挿入された通帳４０の画像情報を読み取る。磁気読取部１３は、通帳４０に備えられた磁気情報記録部４１から磁気情報を読み取る。印刷部１４は、通帳４０に印刷を行う。制御部１１は、画像情報から金融機関を特定し、金融機関に対応した仕様情報３１を取得し、仕様情報３１に基づいて画像情報から通帳４０の口座を特定する第１の口座特定情報を取得し、磁気情報から通帳４０の口座を特定する第２の口座特定情報を取得し、第１の口座特定情報と第２の口座特定情報とが一致する場合に第１の口座特定情報に基づいて通帳４０に記帳する情報である記帳情報を取得し、印刷部１４に記帳情報を通帳４０に印刷する指示を行う。【選択図】図１
2019185087.tif 000002
【特許請求の範囲】
【請求項１】
挿入された通帳の画像情報を読み取る画像読取部と、
前記通帳に備えられた磁気情報記録部から磁気情報を読み取る磁気読取部と、
前記通帳に印刷を行う印刷部と、
前記画像情報から金融機関を特定し、
前記金融機関に対応した仕様情報を取得し、
前記仕様情報に基づいて前記画像情報から前記通帳の口座を特定する第１の口座特定情報を取得し、
前記磁気情報から前記通帳の口座を特定する第２の口座特定情報を取得し、
前記第１の口座特定情報と前記第２の口座特定情報とが一致する場合に前記第１の口座特定情報に基づいて前記通帳に記帳する情報である記帳情報を取得し、
前記印刷部に対して前記記帳情報を前記通帳に印刷する指示を行う制御部とを備える、
通帳処理装置。
【請求項２】
前記第１の口座特定情報および前記第２の口座特定情報には、
少なくとも、前記通帳の発行元である前記金融機関を特定する金融機関名称と、前記金融機関の口座の種別を特定する科目と、前記口座を開設した支店を特定する支店番号と、前記口座を特定する口座番号の項目が含まれる、
請求項１記載の通帳処理装置。
【請求項３】
前記画像読取部は、
前記通帳を開いた状態で前記通帳処理装置に挿入された場合に、前記通帳に対して上面および下面の画像情報を取得する、
請求項１記載の通帳処理装置。
【請求項４】
前記磁気読取部は、
前記磁気情報記録部の保磁力に対応する複数の磁気ヘッドを備える、
請求項１記載の通帳処理装置。
【請求項５】
前記印刷部は、
ドットインパクトプリンタの機能とインクジェットプリンタの機能とを備える、
請求項１記載の通帳処理装置。
【請求項６】
前記仕様情報は、
少なくとも、前記画像情報から前記第１の口座特定情報を取得するための前記通帳における前記第１の口座特定情報の印刷位置を示す座標情報と前記記帳情報を送受信するためのデータインタフェース情報とを含む、
請求項１記載の通帳処理装置。
【請求項７】
通帳処理装置と情報処理装置とを含む情報処理システムであって、
前記通帳処理装置は、
挿入された通帳の画像情報を読み取る画像読取部と、
前記通帳に備えられた磁気情報記録部から磁気情報を読み取る磁気読取部と、
前記通帳に印刷を行う印刷部と、
前記画像情報から金融機関を特定し、前記金融機関に対応した仕様情報を取得し、前記仕様情報に基づいて前記画像情報から前記通帳の口座を特定する第１の口座特定情報を取得し、前記磁気情報から前記通帳の口座を特定する第２の口座特定情報を取得し、前記第１の口座特定情報と前記第２の口座特定情報とが一致する場合に前記第１の口座特定情報に基づいて前記通帳に記帳する情報である記帳情報を前記情報処理装置に要求し、前記印刷部に対して前記情報処理装置から受信した前記記帳情報を前記通帳に印刷する指示を行う制御部とを備え、
前記情報処理装置は、
前記通帳処理装置から前記記帳情報の要求を受信し、前記要求に応じて前記記帳情報を記憶部から取得し、前記記帳情報を前記通帳処理装置に送信する制御部を備える、
情報処理システム。
【発明の詳細な説明】
【技術分野】
【０００１】
本発明は、通帳処理装置および情報処理システムに関する。
【背景技術】
【０００２】
金融取引を行う取引装置として、金融機関等で用いられる現金自動預払機（ＡＴＭ；Automated Teller Machine、以下ＡＴＭと記載する）が知られている。顧客は、ＡＴＭを用いて現金の入出金や振込、通帳の記帳等を行う。また、通帳の記帳を行う装置として記帳機が知られている。
【０００３】
金融機関ごとに通帳の仕様（記帳を行うページを認識するためのバーコード位置、通帳に付与された磁気情報の設定位置、等）が異なるため、通帳を発行した金融機関のＡＴＭや記帳機でなければ記帳を行うことができなかった。
【０００４】
金融機関ごとに仕様の異なる通帳に対応するため、通帳から取得したイメージデータと予め記憶した通帳のイメージデータとを比較して金融機関を判断し、その金融機関に対応する通帳仕様に基づき通帳印字機構を制御する技術が知られている。
【先行技術文献】
【特許文献】
【０００５】
【特許文献１】特開２００２−２３０６２５号公報
【発明の概要】
【発明が解決しようとする課題】
【０００６】
しかしながら、従来技術は、金融機関が発行した通帳で取引を行うことを前提とした技術であり、金融機関ごとに仕様の異なる通帳を取り扱う際に偽造された通帳が用いられた場合についての対応ができていなかった。
【０００７】
近年、スキャナやカラープリンター等の画像印刷技術が向上しており、通帳が偽造され易くなっている。このため、通帳の画像情報のみに基づいて複数の通帳を取り扱う場合、通帳が偽造されたものであるか否かの判別が困難であり、偽造された通帳により不正な操作が実行される可能性がある。
【０００８】
このような状況に対処するため、通帳を画像情報に基づいて処理する際のセキュリティを向上できる技術が望まれている。
一側面では、本発明は、通帳を画像情報に基づいて処理する際のセキュリティを向上できる通帳処理装置および情報処理システムを提供することを目的とする。
【課題を解決するための手段】
【０００９】
上記目的を達成するために、以下に示すような通帳処理装置を提供する。通帳処理装置は、画像読取部と、磁気読取部と、印刷部と、制御部とを備える。画像読取部は、挿入された通帳の画像情報を読み取る。磁気読取部は、通帳に備えられた磁気情報記録部から磁気情報を読み取る。印刷部は、通帳に印刷を行う。制御部は、画像情報から金融機関を特定し、金融機関に対応した仕様情報を取得し、仕様情報に基づいて画像情報から通帳の口座を特定する第１の口座特定情報を取得し、磁気情報から通帳の口座を特定する第２の口座特定情報を取得し、第１の口座特定情報と第２の口座特定情報とが一致する場合に第１の口座特定情報に基づいて通帳に記帳する情報である記帳情報を取得し、印刷部に対して記帳情報を通帳に印刷する指示を行う。
【発明の効果】
【００１０】
一態様によれば、通帳を画像情報に基づいて処理する際のセキュリティを向上できる。
【図面の簡単な説明】
【００１１】
【図１】第１の実施形態の情報処理システムの一例を示す図である。
【図２】第２の実施形態の情報処理システムの一例を示す図である。
【図３】第２の実施形態のホストのハードウェア構成の一例を示す図である。
【図４】第２の実施形態のＡＴＭのハードウェア構成の一例を示す図である。
【図５】第２の実施形態の通帳処理ユニットのハードウェア構成の一例を示す図である。
【図６】第２の実施形態の記帳機のハードウェア構成の一例を示す図である。
【図７】第２の実施形態の情報処理システムの機能の一例を示す図である。
【図８】第２の実施形態の通帳の表紙の一例を示す図である。
【図９】第２の実施形態の通帳の頁の一例を示す図である。
【図１０】第２の実施形態の仕様情報の一例を示す図である。
【図１１】第２の実施形態のＭＳフォーマットの一例を示す図である。
【図１２】第２の実施形態の通帳記帳処理のフローチャートを示す図である（その１）。
【図１３】第２の実施形態の通帳記帳処理のフローチャートを示す図である（その２）。
【発明を実施するための形態】
【００１２】
以下、図面を参照して実施の形態を詳細に説明する。
［第１の実施形態］
まず、第１の実施形態の情報処理システムについて図１を用いて説明する。図１は、第１の実施形態の情報処理システムの一例を示す図である。
【００１３】
情報処理システム５０は、通帳処理装置１０、情報処理装置２０を含む。通帳処理装置１０と情報処理装置２０とは、情報通信が可能でありネットワークを介してアクセス可能に接続されている。ネットワークは、有線ネットワークであってもよいし無線ネットワークであってもよい。
【００１４】
通帳処理装置１０は、金融機関が発行した通帳４０に口座の取引記録の記帳を行う装置であり、たとえば、ＡＴＭや記帳機である。通帳処理装置１０は、制御部１１、画像読取部１２、磁気読取部１３、印刷部１４、記憶部１５を備える。
【００１５】
制御部１１は、通帳処理装置１０の全体を制御するものであり、たとえば、プロセッサ等である。制御部１１は、挿入された通帳４０を受け付け、通帳４０から口座を特定する口座特定情報を取得する。口座特定情報には、少なくとも、通帳４０の発行元である金融機関を特定する金融機関名称と、金融機関の口座の種別を特定する科目と、口座を開設した支店を特定する支店番号と、口座を特定する口座番号の項目が含まれる。制御部１１は、口座特定情報に基づき通帳４０に記帳する記帳情報を取得する。制御部１１は、記帳情報を通帳４０に記帳する制御を行なう。
【００１６】
画像読取部１２は、挿入された通帳４０の画像情報を読み取る。画像読取部１２は、たとえば、スキャナやカメラの機能を備える処理部である。磁気読取部１３は、通帳４０に備えられた磁気情報記録部４１から磁気情報を読み取る。磁気情報記録部４１は、たとえば、通帳４０に付与された磁気ストライプである。印刷部１４は、通帳４０に印刷を行う。印刷部１４は、たとえば、プリンタの機能を備える処理部である。記憶部１５は、通帳処理装置１０に備えられるＨＤＤ（Hard Disk Drive）や各種メモリ等である。記憶部１５には、通帳４０の記帳の処理に必要となる各種情報が記憶される。
【００１７】
情報処理装置２０は、通帳処理装置１０から要求された処理を実行する機能を備えたコンピュータである。情報処理装置２０は、たとえば、金融機関が管理運用を行うホストコンピュータである。情報処理装置２０は、制御部２１、記憶部２２を備える。なお、情報処理装置２０は、システム管理者が操作するための入出力部等も備えるが図示を省略する。制御部２１は、情報処理装置２０全体を制御するものであり、たとえば、プロセッサ等である。制御部２１は、通帳処理装置１０と情報通信を行う。また、制御部２１は、記憶部２２に対し情報の記憶および読み出しが可能である。制御部２１は、通帳処理装置１０から通帳に記帳する情報である記帳情報を要求する電文（要求電文）を受信し、要求に応じた処理を実行する。記憶部２２は、情報処理装置２０に備えられるＨＤＤや各種メモリ等である。記憶部２２には、金融機関で管理する口座の情報が記憶される。また、記憶部２２には、通帳４０を記帳するために必要となる情報が記憶される。
【００１８】
通帳４０は、表紙（表表紙、裏表紙）と取引内容を記帳する記帳頁とを含む冊子媒体である。通帳４０の表紙には、金融機関の名称、科目（口座の種別）、支店番号、口座番号が印刷されているものとする。通帳４０の表紙には、磁気情報記録部４１を備えるものとする。通帳４０の記帳頁には、通帳処理装置１０によって記帳情報が印刷されるものとする。
【００１９】
ここで、情報処理システム５０の処理について説明する。顧客は、通帳４０を通帳処理装置１０に挿入し、記帳を行うものとする。
通帳処理装置１０の制御部１１は、挿入された通帳４０を受け付ける。制御部１１は、画像読取部１２を介して通帳４０を撮像し、画像情報を取得する。制御部１１は、画像情報を文字認識して金融機関を特定し、金融機関に対応した仕様情報３１を取得する。なお、制御部１１は、情報処理装置２０から仕様情報３１を取得してもよいし、記憶部１５から仕様情報３１を取得してもよいし、その他の方法で仕様情報３１を取得してもよい。
【００２０】
仕様情報３１は、金融機関ごとに予め記憶される情報である。仕様情報３１は、少なくとも、金融機関名称、科目印刷座標、支店番号印刷座標、口座番号印刷座標、データインタフェース情報を含む。金融機関名称は、通帳４０を発行した金融機関の名称である。科目印刷座標は、通帳４０の表紙を撮像して取得した画像情報における科目の座標情報であり、科目の印刷位置を特定できる情報であればよい。支店番号印刷座標は、通帳４０の表紙を撮像して取得した画像情報における支店番号の座標情報であり、支店番号の印刷位置を特定できる情報であればよい。口座番号印刷座標は、通帳４０の表紙を撮像して取得した画像情報における口座番号の座標情報であり、口座番号の印刷位置を特定できる情報であればよい。データインタフェース情報は、通帳処理装置１０が情報処理装置２０と記帳情報を送受信するための電文の形式やコードを含む情報である。
【００２１】
制御部１１は、仕様情報３１に基づいて画像情報から通帳４０の口座を特定する口座特定情報（第１の口座特定情報）を取得する。制御部１１は、磁気情報から通帳４０の口座を特定する口座特定情報（第２の口座特定情報）を取得する。制御部１１は、第１の口座特定情報と第２の口座特定情報とが一致する場合に第１の口座特定情報に基づいて通帳に記帳する情報である記帳情報を取得し、印刷部１４に対して記帳情報を通帳に印刷する指示を行う。制御部１１は、第１の口座特定情報と第２の口座特定情報とが不一致である場合、通帳処理装置１０において通帳４０に印刷を行わない。
【００２２】
こうして、制御部１１は、画像情報と磁気情報とを比較した結果に応じて記帳の処理の実行の可否を判断する。制御部１１は、通帳４０が偽造され画像情報と磁気情報が不一致である場合、通帳４０に対し記帳情報の印刷処理（記帳処理）を実行しないため不正な通帳４０を用いた操作を回避することができる。
【００２３】
このように、情報処理システム５０は、通帳を画像情報に基づいて処理する際のセキュリティを向上できる。
［第２の実施形態］
次に、第２の実施形態として、通帳処理装置１０をＡＴＭおよび記帳機に適用し、情報処理装置２０をホストに適用した情報処理システムについて図２を用いて説明する。図２は、第２の実施形態の情報処理システムの一例を示す図である。
【００２４】
金融機関等における情報処理システム３００は、１台以上のＡＴＭ１００（図２ではその内の１台を図示）または１台以上の記帳機２００（図２ではその内の１台を図示）を備える。金融機器設置場所３５０は、ＡＴＭ１００または記帳機２００が設置されている場所であり、たとえば、コンビニエンスストア、小売店、オフィスビル、各種の施設等である。
【００２５】
ＡＴＭ１００および記帳機２００は、ネットワーク３１０を介してホスト４００と接続している。ＡＴＭ１００および記帳機２００は、ネットワーク３１０を介してホスト５００と接続してもよいし、ホスト４００を介してホスト５００と情報通信を行ってもよい。
【００２６】
ＡＴＭ１００は、顧客操作部１２０と、カード／レシート部１３０と、通帳処理部１４０と、硬貨処理部１５０と、紙幣処理部１６０と、テンキー入力部１７０とを有する。
顧客操作部１２０は、ディスプレイとタッチパネルを有し、取引操作の案内と、指示の受け付けとを行う。
【００２７】
カード／レシート部１３０は、キャッシュカードやクレジットカード等のカードを用いる取引において、カードの挿入と排出とを行う。また、カード／レシート部１３０は、取引終了時におけるレシートの排出をする。
【００２８】
通帳処理部１４０は、通帳の受け付けの際に通帳の挿入と排出とを行い、必要に応じて通帳の印字をする。硬貨処理部１５０は、入金および出金取引の際に、硬貨の受け渡しを処理する。紙幣処理部１６０は、入金および出金取引の際に、紙幣の受け渡しを処理する。
【００２９】
テンキー入力部１７０は、数字等を入力するボタンを備え、顧客操作部１２０のタッチパネルと協働して顧客の指示を受け付ける。たとえば、テンキー入力部１７０は、キャッシュカード等を認証するための暗証番号や、金融取引内容の選択や、金融取引の金額等の入力を受け付けることができる。
【００３０】
記帳機２００は、通帳の記帳を行う機能を有する装置である。記帳機２００は、顧客操作部２２０と、通帳処理部２４０とを有する。顧客操作部２２０は、顧客操作部１２０とほぼ同様であるため、説明を省略する。通帳処理部２４０は、通帳処理部１４０と同様であるため、説明を省略する。
【００３１】
ホスト４００およびホスト５００は、それぞれ異なる金融機関で稼動するコンピュータである。ホスト４００およびホスト５００は、ＡＴＭ１００または記帳機２００とそれぞれの専用回線で接続してもよいし、広域ネットワークを介して暗号化通信を用いて情報通信を行うことも可能であるし、その他の接続方法で情報通信を行うことも可能である。
【００３２】
ホスト４００は、ＡＴＭ１００や記帳機２００と情報の送受信を行い、勘定系の業務の実行や、ＡＴＭ１００や記帳機２００を管理する機能を備えるプログラムが実行されるコンピュータである。また、ホスト４００は、ＡＴＭ１００から取引情報を受信し、データベース４２０に記憶する。また、ホスト４００は、ＡＴＭ１００および記帳機２００から記帳情報の要求を受け付け、記帳情報を応答する。データベース４２０は、各種情報を記憶する記憶装置である。なお、ホスト５００は、ホスト４００とほぼ同様であるため、説明を省略する。
【００３３】
ここで、顧客がＡＴＭ１００で通帳の記帳を行う際の動作について説明する。顧客は、顧客操作部１２０において、通帳記帳の操作を選択したものとする。ＡＴＭ１００は、通帳処理部１４０に挿入された通帳の画像情報を読み取り、画像情報から金融機関や口座番号を特定する。また、ＡＴＭ１００は、通帳に付与された磁気ストライプ（Magnetic Stripe）を読み取り、磁気情報から金融機関や口座番号を特定する。ＡＴＭ１００は、画像情報から特定した金融機関や口座番号と、磁気情報から特定した金融機関や口座番号とが同一か否かを判定する。ＡＴＭ１００は、判定した結果、同一である場合、特定した金融機関のホスト（ここでは、ホスト４００が特定された金融機関のホストであるものとする）に記帳情報を要求する。ホスト４００は、ＡＴＭ１００から記帳情報の要求を受信し、記帳情報を応答する。ＡＴＭ１００は、記帳情報の応答をホスト４００から受信し、通帳に記帳する。ＡＴＭ１００は、通帳処理部１４０から記帳した通帳を排出する。顧客は、排出された通帳を受けとり、通帳の記帳を終了する。
【００３４】
次に、第２の実施形態のホストのハードウェア構成について図３を用いて説明する。図３は、第２の実施形態のホストのハードウェア構成の一例を示す図である。
ホスト４００は、制御部４１０を含む。制御部４１０は、プロセッサ４１１、ＲＡＭ（Random Access Memory）４１２、ＨＤＤ４１３、画像信号処理部４１４、入力信号処理部４１５、媒体リーダ４１６、通信インタフェース４１７を含む。ホスト４００は、プロセッサ４１１によって装置全体が制御されている。プロセッサ４１１には、バス４１８を介してＲＡＭ４１２と複数の周辺機器が接続されている。プロセッサ４１１は、マルチプロセッサであってもよい。プロセッサ４１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。また、プロセッサ４１１は、ＣＰＵ、ＭＰＵ、ＤＳＰ、ＡＳＩＣ、ＰＬＤのうちの２以上の要素の組み合わせであってもよい。
【００３５】
ＲＡＭ４１２は、ホスト４００の主記憶装置として使用される。ＲＡＭ４１２には、プロセッサ４１１に実行させるＯＳ（Operating System）のプログラムやアプリケーションプログラムの少なくとも一部が一時的に記憶される。また、ＲＡＭ４１２には、プロセッサ４１１による処理に必要な各種データが記憶される。
【００３６】
バス４１８に接続されている周辺機器としては、ＨＤＤ４１３、画像信号処理部４１４、入力信号処理部４１５、媒体リーダ４１６および通信インタフェース４１７がある。
ＨＤＤ４１３は、内蔵したディスクに対して、磁気的にデータの書き込みおよび読み出しを行う。ＨＤＤ４１３は、ホスト４００の補助記憶装置として使用される。ＨＤＤ４１３には、ＯＳのプログラム、アプリケーションプログラム、および各種データが記憶される。なお、ＨＤＤ４１３に限らず、ＳＳＤ（Solid State Drive）を使用することもできる。なお、補助記憶装置としては、フラッシュメモリ等の半導体記憶装置を使用することもできる。
【００３７】
画像信号処理部４１４は、プロセッサ４１１からの命令に従って、ホスト４００に接続されたディスプレイ４１４ａに画像を出力する。ディスプレイ４１４ａとしては、ＣＲＴ（Cathode Ray Tube）ディスプレイ、液晶ディスプレイ（ＬＣＤ：Liquid Crystal Display）、プラズマディスプレイ、有機ＥＬ（ＯＥＬ：Organic Electro-Luminescence）ディスプレイ等、任意の種類のディスプレイを用いることができる。
【００３８】
入力信号処理部４１５は、ホスト４００に接続された入力デバイス４１５ａから入力信号を取得し、プロセッサ４１１に出力する。入力デバイス４１５ａとしては、マウス、タッチパネル、タッチパッド、トラックボール、キーボード、リモートコントローラ、ボタンスイッチ等、任意の種類の入力デバイスを用いることができる。また、ホスト４００に、複数の種類の入力デバイスが接続されていてもよい。
【００３９】
媒体リーダ４１６は、記録媒体４１９に記録されたプログラムやデータを読み取る読み取り装置である。記録媒体４１９として、たとえば、磁気ディスク、光ディスク、光磁気ディスク（ＭＯ：Magneto-Optical disk）、半導体メモリ等を使用できる。磁気ディスクには、フレキシブルディスク（ＦＤ：Flexible Disk）やＨＤＤが含まれる。光ディスクには、ＣＤ（Compact Disc）やＤＶＤ（Digital Versatile Disc）が含まれる。
【００４０】
媒体リーダ４１６は、たとえば、記録媒体４１９から読み取ったプログラムやデータを、ＲＡＭ４１２やＨＤＤ４１３等の他の記録媒体にコピーする。読み取られたプログラムは、たとえば、プロセッサ４１１によって実行される。なお、記録媒体４１９は可搬型記録媒体であってもよく、プログラムやデータの配布に用いられることがある。また、記録媒体４１９やＨＤＤ４１３を、コンピュータ読み取り可能な記録媒体と言うことがある。
【００４１】
通信インタフェース４１７は、データベース４２０とネットワーク３１０に接続されている。通信インタフェース４１７は、他のコンピュータ、記憶装置、または通信機器との間でデータの送受信を行う。データベース４２０は、各種の情報を記憶するとともに検索や抽出等により情報を利用できるようにしたものであり、ストレージシステム等を用いてもよい。
【００４２】
以上のようなハードウェア構成によって、第２の実施形態のホスト４００の処理機能を実現することができる。なお、第１の実施形態の情報処理装置２０、第２の実施形態のホスト５００も、図３に示したホスト４００のハードウェア構成で実現できる。
【００４３】
なお、上記の構成は一例であり、構成部の組み合わせは適宜決定できる。たとえば、上記構成のうち必要のないものを削除するとしてもよい。
ホスト４００は、たとえばコンピュータ読み取り可能な記録媒体に記録されたプログラムを実行することにより、第２の実施形態の処理機能を実現する。ホスト４００に実行させる処理内容を記述したプログラムは、様々な記録媒体に記録しておくことができる。たとえば、ホスト４００に実行させるプログラムをＨＤＤ４１３に記憶しておくことができる。プロセッサ４１１は、ＨＤＤ４１３内のプログラムの少なくとも一部をＲＡＭ４１２にロードし、プログラムを実行する。また、ホスト４００に実行させるプログラムを、光ディスク、メモリ装置、メモリカード等の可搬型記録媒体に記録しておくこともできる。可搬型記録媒体に記憶されたプログラムは、たとえばプロセッサ４１１からの制御により、ＨＤＤ４１３にインストールされた後、実行可能となる。またプロセッサ４１１が、可搬型記録媒体から直接プログラムを読み出して実行することもできる。
【００４４】
次に、第２の実施形態のＡＴＭについて図４を用いて説明する。図４は、第２の実施形態のＡＴＭのハードウェア構成の一例を示す図である。
ＡＴＭ１００は、制御部１１０と、ディスプレイ１２０ａと、タッチパネル１２０ｂと、カード／レシート処理ユニット１３０ａと、通帳処理ユニット１４０ａと、硬貨処理ユニット１５０ａと、紙幣処理ユニット１６０ａと、テンキー処理ユニット１７０ａと、対人センサ制御ユニット１７５ａとを有する。
【００４５】
制御部１１０は、プロセッサ１１１、ＲＡＭ１１２、第１ＨＤＤ１１３ａ、第２ＨＤＤ１１３ｂ、外部通信インタフェース１１４、表示処理ユニット１１５、タッチパネル処理ユニット１１６およびＩ／Ｏ（Input／Output）制御部１１７を有し、各々がバス１１８を介して接続されている。
【００４６】
プロセッサ１１１は、ＡＴＭ１００の全体動作を制御する。プロセッサ１１１は、たとえばＣＰＵ、ＭＰＵ等である。プロセッサ１１１は、紙幣処理ユニット１６０ａを介して取得した紙幣種別および記番号（紙幣を識別する番号）を含む取引履歴情報を第１ＨＤＤ１１３ａや第２ＨＤＤ１１３ｂ等の記憶部に記憶する。また、プロセッサ１１１は、ホスト４００に取引履歴情報を送信する。
【００４７】
ＲＡＭ１１２には、プロセッサ１１１に実行させるＯＳのプログラムやアプリケーションプログラムの少なくとも一部が一時的に格納される。また、ＲＡＭ１１２には、プロセッサ１１１による処理に必要な各種データが格納される。
【００４８】
第１ＨＤＤ１１３ａおよび第２ＨＤＤ１１３ｂには、ＯＳやアプリケーションプログラムや取引履歴情報等を格納できる。第１ＨＤＤ１１３ａと、第２ＨＤＤ１１３ｂとは、システム保護のために二重化されているが、いずれか一方のみで構成することもできる。また、第１ＨＤＤ１１３ａと第２ＨＤＤ１１３ｂは、ＳＳＤ等他の記憶装置でも代用可能である。
【００４９】
外部通信インタフェース１１４は、外部のネットワーク３１０に接続され、ホスト４００等との間でデータの送受信を行う。また、外部通信インタフェース１１４は、ホスト４００へ暗証番号や取引情報等を送受信できる。
【００５０】
表示処理ユニット１１５には、ディスプレイ１２０ａが接続される。ディスプレイ１２０ａは、タッチパネル１２０ｂとともに顧客操作部１２０を構成する。表示処理ユニット１１５は、プロセッサ１１１の制御の下に、操作案内等の各種情報をディスプレイ１２０ａの画面に表示させる。
【００５１】
タッチパネル処理ユニット１１６には、タッチパネル１２０ｂが接続される。タッチパネル１２０ｂは、ディスプレイ１２０ａの上層に形成される。タッチパネル処理ユニット１１６は、顧客の指がタッチパネル１２０ｂに接触あるいは接近した画面上の位置を検出し、プロセッサ１１１に通知する。
【００５２】
Ｉ／Ｏ制御部１１７には、カード／レシート処理ユニット１３０ａ、通帳処理ユニット１４０ａ、硬貨処理ユニット１５０ａ、紙幣処理ユニット１６０ａ、テンキー処理ユニット１７０ａおよび対人センサ制御ユニット１７５ａが接続される。Ｉ／Ｏ制御部１１７は、プロセッサ１１１の制御の下に、接続する各部にプロセッサ１１１からの指示を通知するとともに、各部から取得した情報をバス１１８経由でプロセッサ１１１に送る。
【００５３】
カード／レシート処理ユニット１３０ａは、カード／レシート部１３０に設けられ、カードの取り込みと排出、およびレシートの排出を制御する。また、カード／レシート処理ユニット１３０ａは、取り込んだカードに付された磁気で記録された情報（口座番号等）を読み込む。また、カード／レシート処理ユニット１３０ａは、印刷等を行う機能も備えており、文字や図形を印刷することが可能である。カード／レシート処理ユニット１３０ａは、カードの排出だけでなく、取引内容を印刷した明細票（レシート）を排出することが可能である。
【００５４】
通帳処理ユニット１４０ａは、通帳処理部１４０に設けられ、通帳の取り込みと排出を制御する。また、通帳処理ユニット１４０ａは、取り込んだ通帳に付された磁気で記録された情報（口座番号等）を読み込む。また、通帳処理ユニット１４０ａは、通帳に印刷を行う機能も備えており、通帳の記帳が可能である。通帳処理ユニット１４０ａについては、後で図５を用いて説明する。
【００５５】
硬貨処理ユニット１５０ａは、硬貨処理部１５０に設けられ、プロセッサ１１１の指示に従って硬貨の入出金と、扉の開閉とを制御する。
紙幣処理ユニット１６０ａは、紙幣処理部１６０に設けられ、プロセッサ１１１の指示に従って紙幣の入出金と、扉の開閉とを制御する。紙幣処理ユニット１６０ａは、紙幣の種別および記番号を読み取る機能を備える。紙幣処理ユニット１６０ａは、入出金の際に出し入れした紙幣の記番号を読み取り、プロセッサ１１１に出力する。
【００５６】
テンキー処理ユニット１７０ａは、テンキー入力部１７０に設けられ、顧客が押下したボタンの情報を出力する。顧客が押下したボタンの情報には、暗証番号、金融取引で用いる情報等を含めてもよい。対人センサ制御ユニット１７５ａは、人の接近を検知する対人センサを制御し、ＡＴＭ１００に顧客が近付いたことを検出する。なお、対人センサについては、図示を省略する。
【００５７】
可搬型記録媒体１８０は、たとえば、ＤＶＤやＣＤ等の記録媒体である。可搬型記録媒体１８０は、取引履歴情報等を格納できる。
以上のようなハードウェア構成によって、本実施の形態の処理機能を実現することができる。なお、上記の構成は一例であり、ＡＴＭ１００の構成部の組み合わせは適宜決定できる。上記構成のうち必要のないものを削除するとしてもよいし、たとえば、手のひら静脈や指静脈を用いた生体認証部や非接触ＩＣに対応する非接触ＩＣ部等を加えることもできる。
【００５８】
次に、第２の実施形態の通帳処理ユニットについて図５を用いて説明する。図５は、第２の実施形態の通帳処理ユニットのハードウェア構成の一例を示す図である。
通帳処理ユニット１４０ａは、磁気ヘッド処理部１４１ａ，１４１ｂと、イメージスキャナ１４２ａ，１４２ｂと、印字部１４３ａ，１４３ｂと、通帳出入口１４４と、搬送路１４５とを有する。また、通帳処理ユニット１４０ａは、搬送ローラ１４６ａ，１４６ｂ，１４６ｃ，１４６ｄ，１４６ｅ，１４６ｆと、通帳処理ユニット制御部１４７とを有する。
【００５９】
磁気ヘッド処理部１４１ａ，１４１ｂは、挿入された通帳７００の磁気情報記録部７２１に備えられた磁気ストライプに磁気情報を書き込み、磁気ストライプから磁気情報を読み込む機能を有する。磁気ヘッド処理部１４１ａ，１４１ｂは、複数種類の磁気ヘッドを備える。たとえば、磁気ヘッド処理部１４１ａ，１４１ｂは、４０００Ｏｅ（Oersted）の高保磁力に対応する磁気ヘッド、３００〜７００Ｏｅの低保磁力に対応する磁気ヘッド、中間の２７５０Ｏｅに対応する磁気ヘッド等の磁気ヘッドを備える。磁気ヘッド処理部１４１ａ，１４１ｂは、磁気の強さが異なる磁気ストライプに対して磁気情報の読み出し、書き込みが可能となる。これにより、磁気ヘッド処理部１４１ａ，１４１ｂは、磁気の強さが異なる複数種類の通帳の取り扱いが可能となる。磁気ヘッド処理部１４１ａは、搬送路１４５の上側に位置し、搬送路１４５を搬送される通帳７００の上側に磁気情報記録部が存在する場合に、磁気情報記録部に対する情報の書き込みおよび読み出しを行う。磁気ヘッド処理部１４１ｂは、搬送路１４５の下側に位置し、搬送路１４５を搬送される通帳７００の下側に磁気情報記録部が存在する場合に、磁気情報記録部に対する情報の書き込みおよび読み出しを行う。なお、通帳７００については、後で図８および図９を用いて説明する。
【００６０】
イメージスキャナ１４２ａ，１４２ｂは、挿入された通帳７００の画像を取得する。イメージスキャナ１４２ａ，１４２ｂは、通帳７００を開いた状態で通帳出入口１４４に挿入された場合に、通帳７００に対して上面および下面のそれぞれの面の画像情報を取得する。たとえば、顧客が、通帳７００を開き、開いたページ（記帳対象の頁）を搬送路１４５の上側にして通帳出入口１４４に挿入した場合、イメージスキャナ１４２ａが通帳７００の開いたページを撮像して画像情報を取得する。この場合、通帳７００の表表紙および裏表紙が搬送路１４５の下側となり、イメージスキャナ１４２ｂが通帳７００の表表紙および裏表紙を撮像して画像情報を取得する。
【００６１】
印字部１４３ａ，１４３ｂは、印字ヘッドやインクジェット部等（図示を省略）を含み、記帳情報（取引を行った年月日、摘要、金額等）を通帳７００に印刷する。印字部１４３ａ，１４３ｂがインクジェット部を備えることにより、通帳７００に対して画像の印刷を行うことが可能となる。印字部１４３ａ，１４３ｂは、ドットインパクトプリンタの機能とインクジェットプリンタの機能とを備えることができる。なお、通帳７００について、印刷面となるページが搬送路１４５の上側である場合、印字部１４３ａが印刷する。また、通帳７００について、印刷面となるページが搬送路１４５の下側である場合、印字部１４３ｂが印刷する。
【００６２】
通帳出入口１４４は、顧客によって通帳７００が挿入され、処理が完了した通帳７００が排出される。通帳出入口１４４は、センサ（図示を省略）が備えられており、挿入された通帳７００が検知され、通帳処理ユニット制御部１４７に通帳７００が挿入されたことが通知される。
【００６３】
搬送路１４５は、通帳出入口１４４から挿入された通帳７００が移動する。搬送ローラ１４６ａ，１４６ｂ，１４６ｃ，１４６ｄ，１４６ｅ，１４６ｆは、通帳７００を搬送路１４５において搬送させるように回転する。通帳処理ユニット制御部１４７は、制御部１１０からの指示に応じて通帳７００を搬送するよう搬送ローラ１４６ａ，…を駆動させる。たとえば、通帳処理ユニット制御部１４７は、制御部１１０から通帳７００に付与された磁気ストライプに記憶された磁気情報を読み取る指示を受信した場合、通帳７００が磁気ヘッド処理部１４１ａ，１４１ｂによって読み取り可能な位置へ移動するよう搬送ローラ１４６ａ，…を駆動させる。また、通帳処理ユニット制御部１４７は、制御部１１０から通帳７００をスキャンする指示を受信した場合、通帳７００がイメージスキャナ１４２ａ，１４２ｂによってスキャン可能な位置へ移動するよう搬送ローラ１４６ａ，…を駆動させる。また、通帳処理ユニット制御部１４７は、制御部１１０から通帳７００を印刷する指示を受信した場合、通帳７００が印字部１４３ａ，１４３ｂによって印刷可能な位置へ移動するよう搬送ローラ１４６ａ，…を駆動させる。
【００６４】
通帳処理ユニット制御部１４７は、ＣＰＵやメモリを備え、通帳処理ユニット１４０ａの全体を制御する機能を有し、プロセッサ１１１から指示を受け通帳処理ユニット１４０ａを制御する。通帳処理ユニット制御部１４７は、磁気ヘッド処理部１４１ａ，１４１ｂに対し、磁気情報を読み取る指示を行う。通帳処理ユニット制御部１４７は、イメージスキャナ１４２ａ，１４２ｂに対し、通帳７００を撮像し画像情報を取得する指示を行う。通帳処理ユニット制御部１４７は、印字部１４３ａ，１４３ｂに対し、通帳７００に記帳情報を印刷する指示を行う。通帳処理ユニット制御部１４７は、搬送ローラ１４６ａ，１４６ｂ，１４６ｃ，１４６ｄ，１４６ｅ，１４６ｆを駆動させ、通帳７００について搬送路１４５を搬送させる指示を行う。通帳処理ユニット制御部１４７から指示を受けた処理部は、それぞれ指示された処理を実行する。通帳処理ユニット制御部１４７は、磁気ヘッド処理部１４１ａ，１４１ｂを介して取得した磁気情報をプロセッサ１１１に出力する。通帳処理ユニット制御部１４７は、イメージスキャナ１４２ａ，１４２ｂを介して取得した画像情報をプロセッサ１１１に出力する。
【００６５】
このように、通帳処理ユニット１４０ａは、通帳７００が移動する搬送路１４５の上下の両側に磁気ヘッド処理部１４１ａ，１４１ｂと、イメージスキャナ１４２ａ，１４２ｂと、印字部１４３ａ，１４３ｂとを備える。これにより、通帳処理ユニット１４０ａは、様々な態様の通帳７００に磁気情報の書き込みおよび読み出しや、印字の処理を行うことが可能となる。
【００６６】
次に、第２の実施形態の記帳機について図６を用いて説明する。図６は、第２の実施形態の記帳機のハードウェア構成の一例を示す図である。
記帳機２００は、制御部２１０と、ディスプレイ２２０ａと、タッチパネル２２０ｂと、通帳処理ユニット２４０ａとを有する。制御部２１０は、プロセッサ２１１、ＲＡＭ２１２、ＨＤＤ２１３、外部通信インタフェース２１４、表示処理ユニット２１５、タッチパネル処理ユニット２１６およびＩ／Ｏ（Input／Output）制御部２１７を有し、各々がバス２１８を介して接続されている。
【００６７】
プロセッサ２１１は、記帳機２００の全体動作を制御する。プロセッサ２１１は、たとえばＣＰＵ、ＭＰＵ等である。プロセッサ２１１は、通帳処理ユニット２４０ａを介して取得した口座番号等を含む取引情報をＨＤＤ２１３等の記憶部に記憶する。また、プロセッサ２１１は、ホスト４００に取引情報を送信する。
【００６８】
ＲＡＭ２１２には、プロセッサ２１１に実行させるＯＳのプログラムやアプリケーションプログラムの少なくとも一部が一時的に格納される。また、ＲＡＭ２１２には、プロセッサ２１１による処理に必要な各種データが格納される。ＨＤＤ２１３には、ＯＳやアプリケーションプログラムや取引情報等を格納できる。ＨＤＤ２１３は、ＳＳＤ等他の記憶装置でも代用可能である。外部通信インタフェース２１４は、外部のネットワーク３１０に接続され、ホスト４００等との間でデータの送受信を行う。また、外部通信インタフェース２１４は、ホスト４００へ取引情報等を送受信できる。
【００６９】
表示処理ユニット２１５には、ディスプレイ２２０ａが接続される。ディスプレイ２２０ａは、タッチパネル２２０ｂとともに顧客操作部２２０を構成する。表示処理ユニット２１５は、プロセッサ２１１の制御の下に、操作案内等の各種情報をディスプレイ２２０ａの画面に表示させる。タッチパネル処理ユニット２１６には、タッチパネル２２０ｂが接続される。タッチパネル２２０ｂは、ディスプレイ２２０ａの上層に形成される。タッチパネル処理ユニット２１６は、顧客の指がタッチパネル２２０ｂに接触あるいは接近した画面上の位置を検出し、プロセッサ２１１に通知する。Ｉ／Ｏ制御部２１７には、通帳処理ユニット２４０ａが接続される。
【００７０】
通帳処理ユニット２４０ａは、通帳処理部２４０に設けられ、通帳の取り込みと排出を制御する。また、通帳処理ユニット２４０ａは、通帳の記帳を制御する。通帳処理ユニット２４０ａは、通帳処理ユニット１４０ａと同様であるため、説明を省略する。
【００７１】
以上のようなハードウェア構成によって、本実施の形態の処理機能を実現することができる。なお、上記の構成は一例であり、記帳機２００の構成部の組み合わせは適宜決定できる。
【００７２】
次に、第２の実施形態の情報処理システムの機能の一例について図７を用いて説明する。図７は、第２の実施形態の情報処理システムの機能の一例を示す図である。
ＡＴＭ１００は、制御部１１０および記憶部１９０を有する。制御部１１０は、プロセッサ１１１により実現される。具体的には、プロセッサ１１１は、ＲＡＭ１１２に記憶されたプログラムを実行することで、制御部１１０の機能を発揮する。ただし、制御部１１０は、ＡＳＩＣ等のハードワイヤードロジックにより実現されてもよい。記憶部１９０は、ＲＡＭ１１２の記憶領域や第１ＨＤＤ１１３ａや第２ＨＤＤ１１３ｂの記憶領域を用いて実現される。記憶部１９０は、仕様情報を記憶する。仕様情報は、金融機関ごとに予め定められた情報であり、通帳の画像や、通帳の仕様や、記帳情報を送受信するためのデータインタフェース等を含む情報である。仕様情報は、通帳の記帳を実行する装置（ＡＴＭ１００，記帳機２００）の記憶部において記憶されてもよいし、通帳の記帳を実行する装置からアクセス可能な装置（ホスト４００，５００）の記憶部において記憶されてもよい。なお、仕様情報は、後で図１０を用いて説明する。
【００７３】
制御部１１０は、通帳処理部１４０を介して通帳の画像情報や磁気情報を取得し、記憶部１９０に記憶する。制御部１１０は、通帳処理部１４０から取得した情報に基づき、記帳情報を要求する。制御部１１０は、記帳情報を受信し、通帳処理部１４０に挿入された通帳に印刷する。ＡＴＭ１００において通帳の記帳を行う処理は、後で図１２および図１３を用いて説明する。
【００７４】
記帳機２００は、制御部２１０および記憶部２９０を有する。制御部２１０は、プロセッサ２１１により実現される。具体的には、プロセッサ２１１は、ＲＡＭ２１２に記憶されたプログラムを実行することで、制御部２１０の機能を発揮する。ただし、制御部２１０は、ＡＳＩＣ等のハードワイヤードロジックにより実現されてもよい。記憶部２９０は、ＲＡＭ２１２の記憶領域やＨＤＤ２１３の記憶領域を用いて実現される。記憶部２９０は、通帳７００に印刷する処理（記帳）に必要となるデータを記憶部１９０と同様に記憶するものとする。
【００７５】
制御部２１０は、通帳処理部２４０を介して通帳の画像情報や磁気情報を取得し、ホスト４００，５００と情報通信を行い、記帳情報を受信して通帳の記帳を行う。記帳機２００において通帳の記帳を行う処理は、ＡＴＭ１００において通帳の記帳を行う処理と同様であるため、説明を省略する。
【００７６】
ホスト４００は、制御部４１０および記憶部４９０を有する。制御部４１０は、プロセッサ４１１により実現される。具体的には、プロセッサ４１１は、ＲＡＭ４１２に記憶されたプログラムを実行することで、制御部４１０の機能を発揮する。ただし、制御部４１０は、ＡＳＩＣ等のハードワイヤードロジックにより実現されてもよい。記憶部４９０は、ＲＡＭ４１２の記憶領域やＨＤＤ４１３の記憶領域を用いて実現される。制御部４１０は、ＡＴＭ１００、記帳機２００およびホスト５００と情報通信を行う。なお、記憶部４９０は、送受信を行う情報を一時的に記憶する。
【００７７】
ホスト４００は、金融機関で用いられるコンピュータであり、ＡＴＭ１００および記帳機２００からの要求に応じて記帳情報を送信するとともに、勘定系の処理を実行することも可能である。
【００７８】
ホスト５００は、制御部５１０および記憶部５９０を有する。制御部５１０は、プロセッサにより実現される。具体的には、プロセッサは、ＲＡＭに記憶されたプログラムを実行することで、制御部５１０の機能を発揮する。ただし、制御部５１０は、ＡＳＩＣ等のハードワイヤードロジックにより実現されてもよい。記憶部５９０は、ＲＡＭの記憶領域やＨＤＤの記憶領域を用いて実現される。制御部５１０は、ＡＴＭ１００、記帳機２００およびホスト４００と情報通信を行う。なお、記憶部５９０は、送受信を行う情報を一時的に記憶する。
【００７９】
ホスト５００は、ホスト４００が使用される金融機関とは異なる金融機関で用いられるコンピュータであり、ＡＴＭ１００および記帳機２００からの要求に応じて記帳情報を送信するとともに、勘定系の処理を実行することも可能である。
【００８０】
ここで、顧客が通帳７００の記帳を行う処理について説明する。ＡＴＭ１００、記帳機２００およびホスト４００の管理運用を行う金融機関は提携しているものとし、金融機関名称を仮にＸ銀行とする。また、ホスト５００の管理運用を行う金融機関は、Ｘ銀行とは異なる金融機関であり金融機関名称を仮にＹ銀行とする。
【００８１】
顧客は、Ｙ銀行で発行された通帳７００をＡＴＭ１００または記帳機２００に挿入し、記帳を行う操作入力を行う。制御部１１０，２１０は、通帳処理ユニット１４０ａ，２４０ａを介して挿入された通帳７００から口座を特定する口座特定情報を取得する。口座特定情報には、金融機関名称、科目、支店番号、口座番号が含まれるものとする。制御部１１０，２１０は、ホスト４００に対し記帳情報の要求電文を送信する。記帳情報の要求電文には、口座特定情報が含まれるものとする。
【００８２】
ホスト４００の制御部４１０は、記帳情報の要求電文を受信し、要求電文に含まれる口座特定情報を読み取り、Ｙ銀行の口座であると判別する。制御部４１０は、記帳情報の要求電文をＹ銀行が管理および運用するホスト５００に送信する。つまり、制御部４１０は、受信した記帳情報の要求電文の宛先となる金融機関を特定し、要求電文を振り分けて送信する。
【００８３】
ホスト５００の制御部５１０は、要求電文に含まれる口座特定情報が自金融機関（Ｙ銀行）のものであると判定し、口座特定情報に対応する記帳情報を記憶部５９０から取得し、応答電文に含めて制御部４１０に送信する。
【００８４】
制御部４１０は、制御部５１０から応答電文を受信する。制御部４１０は、応答電文に含まれる記帳情報を要求電文の送信元である制御部１１０，２１０に送信する。制御部１１０，２１０は、記帳情報を受信し、通帳処理ユニット１４０ａ，２４０ａに対して通帳７００に記帳を実行する指示を行う。制御部１１０，２１０は、通帳処理ユニット１４０ａ，２４０ａを介して通帳７００の記帳が終了したことを検知し、通帳７００を排出させ処理を終了する。
【００８５】
このように、ホスト４００が、ＡＴＭ１００および記帳機２００から受信した要求電文に含まれる口座特定情報を判定し、記帳情報を要求する電文を他の金融機関に振り分けて他の金融機関から記帳情報を取得する。これにより、ＡＴＭ１００および記帳機２００は、ホスト４００を介して自金融機関（Ｘ銀行）とは異なる金融機関（Ｙ銀行）の記帳情報を取得し、通帳７００に記帳を行うことが可能となる。
【００８６】
なお、上述の処理は、顧客が通帳７００を挿入したＡＴＭ１００および記帳機２００の運用管理を行う金融機関（Ｘ銀行）と、顧客が所有する通帳７００の発行元の金融機関（Ｙ銀行）とが異なる場合の処理の一例に過ぎない。仮に、ＡＴＭ１００および記帳機２００の運用管理を行う金融機関と通帳７００の発行元の金融機関とが同一である場合、ホスト４００とホスト５００の処理を同一のコンピュータで実現でき、ホスト４００から他の金融機関のコンピュータへ記帳情報の要求電文を振り分けて送信する処理を省略できる。
【００８７】
次に、第２の実施形態の通帳の表紙の一例について図８を用いて説明する。図８は、第２の実施形態の通帳の表紙の一例を示す図である。
通帳７００は、金融機関が顧客に対して預金の預け入れや払い戻しの証拠書として発行する冊子である。通帳７００は、表紙と、預金の預け入れや払い戻しが印刷される頁とを含む。通帳７００の表紙は、通帳表表紙７１０と、通帳裏表紙７２０とを含む。なお、通帳７００の頁については、後で図９を用いて説明する。
【００８８】
通帳表表紙７１０には、金融機関名印刷領域７１１と、科目印刷領域７１２と、支店番号印刷領域７１３と、口座番号印刷領域７１４とを含む。なお、通帳表表紙７１０には、顧客氏名印刷領域等も含むが、説明を省略する。
【００８９】
金融機関名印刷領域７１１は、通帳７００を発行した金融機関の名称が印刷された領域である。科目印刷領域７１２は、科目（たとえば、「普通」、「当座」、「貯蓄」等の口座種別）が印刷された領域である。なお、科目印刷領域７１２には、科目として認識可能な文字以外のその他の文字（たとえば、「通帳」）が含まれていてもよい。支店番号印刷領域７１３は、金融機関の支店を識別する支店番号が印刷された領域である。口座番号印刷領域７１４は、金融機関の口座を識別する口座番号が印刷された領域である。
【００９０】
通帳裏表紙７２０には、磁気情報記録部７２１を含む。磁気情報記録部７２１は、磁気ストライプが付与された領域である。通帳７００における磁気情報記録部７２１の位置は、通帳を発行した金融機関によって異なる場合がある。ＡＴＭ１００および記帳機２００は、磁気ストライプに記録された磁気情報から金融機関や口座番号を読み取る。磁気ストライプに記録された磁気情報の内容については、後で図１１を用いて説明する。
【００９１】
次に、第２の実施形態の通帳の頁の一例について図９を用いて説明する。図９は、第２の実施形態の通帳の頁の一例を示す図である。
通帳７００には複数の頁が含まれるが、頁の一例について、通帳頁７３０を用いて説明する。通帳頁７３０は、通帳７００の２頁目を開いた状態を表す。通帳頁７３０は、頁番号印刷領域７３１と、バーコード印刷領域７３２と、記帳情報印刷領域７３３とを含む。
【００９２】
頁番号印刷領域７３１は、通帳７００の頁番号が印刷された領域である。通帳７００には、見開きの頁ごとに頁を特定する番号が印刷されている。バーコード印刷領域７３２は、通帳７００の頁をＡＴＭ１００や記帳機２００が認識するためのバーコードが印刷された領域である。ＡＴＭ１００および記帳機２００は、バーコード印刷領域７３２に印刷されたバーコードを読み取ることで通帳７００の頁を認識する。
【００９３】
記帳情報印刷領域７３３は、記帳情報が印刷される領域である。記帳情報印刷領域７３３には、１行ごとに項目（行数、年月日、摘要、お支払金額、お預り金額、残高）に合致する内容が印刷される。たとえば、記帳情報印刷領域７３３の行数「１」には、年月日に「１８−０１−２０」、摘要に「カード」、お支払金額に「１０，０００」、残高に「９００，０００」が印刷される。これは、「２０１８年１月２０日」に、「カード」を用いて「１０，０００」円が支払われ、預金残高が「９００，０００」円であることを示している。なお、記帳情報に含まれる取引内容が支払いである場合、お支払金額の項目に数字が印刷され、お預り金額の項目には印刷されない。記帳情報に含まれる取引内容が預りである場合、お支払金額の項目には印刷されず、お預り金額の項目に数字が印刷される。
【００９４】
記帳情報印刷領域７３３の２頁目２行目が記帳情報の印刷された最終行であり、この通帳７００に対して記帳を行う場合、２頁目３行目から記帳情報の印刷が行われる。
次に、第２の実施形態の仕様情報の一例について図１０を用いて説明する。図１０は、第２の実施形態の仕様情報の一例を示す図である。
【００９５】
仕様情報６００は、ＡＴＭ１００および記帳機２００において通帳７００に記帳情報を印刷する際に用いられる情報である。仕様情報６００は、金融機関ごとに予め定められた情報であり、通帳の画像や、通帳の仕様や、記帳情報を送受信するためのデータインタフェース等を含む情報である。仕様情報６００は、記憶部１９０，２９０に記憶されてもよいし、記憶部４９０，５９０等において記憶されてもよい。なお、ＡＴＭ１００および記帳機２００は、仕様情報６００が記憶部４９０，５９０に記憶された場合、どの金融機関の仕様情報６００が必要であるかを指定してホスト４００，５００に情報取得の要求を送信する。なお、仕様情報６００は、金融機関ごとに予め記憶される情報である。
【００９６】
仕様情報６００は、金融機関名称、金融機関番号、通帳画像、通帳仕様情報、データインタフェースの項目を含む。金融機関名称の項目には、金融機関の名称が登録される。金融機関番号の項目には、金融機関を特定する番号（金融機関コード）が登録される。通帳画像の項目には、通帳の表紙（表表紙および裏表紙）の画像情報が登録される。通帳仕様情報の項目は、科目印刷座標、支店番号印刷座標、口座番号印刷座標、頁番号印刷座標、バーコード印刷座標、磁気情報部座標の項目を含む。なお、上述の通帳仕様情報に含まれる項目は一例に過ぎず、他の項目（金融機関名称の印刷座標、顧客氏名の印刷座標等）を含むものであってもよい。
【００９７】
ここで、通帳仕様情報の項目に含まれる各座標は、通帳７００の表紙（通帳表表紙７１０および通帳裏表紙７２０）を撮像して取得した画像における座標であるものとする。たとえば、通帳７００の画像の左下角を原点、水平右方向にＸ軸、垂直上方向にＹ軸を設定し、通帳７００の表紙に含まれる各領域の位置を座標で表すものであってもよいし、その他の方法で位置情報を示すものであってもよい。
【００９８】
科目印刷座標の項目には、科目印刷領域７１２の座標が登録される。なお、科目印刷領域７１２の座標は、科目印刷領域７１２を囲む矩形領域の４つの頂点のうちの左上座標（ＸＫ１，ＹＫ１）および右下座標（ＸＫ２，ＹＫ２）の２点の座標を一例として示すが、その他の座標であってもよい。以下、その他の座標についても同様である。
【００９９】
支店番号印刷座標の項目には、支店番号印刷領域７１３の座標（（ＸＳ１，ＹＳ１）、（ＸＳ２，ＹＳ２））が登録される。口座番号印刷座標の項目には、口座番号印刷領域７１４の座標（（ＸＡ１，ＹＡ１）、（ＸＡ２，ＹＡ２））が登録される。頁番号印刷座標の項目には、頁番号印刷領域７３１の座標（（ＸＰ１，ＹＰ１）、（ＸＰ２，ＹＰ２））が登録される。バーコード印刷座標の項目には、バーコード印刷領域７３２の座標（（ＸＢ１，ＹＢ１）、（ＸＢ２，ＹＢ２））が登録される。磁気情報部座標の項目には、磁気情報記録部７２１の座標（（ＸＭ１，ＹＭ１）、（ＸＭ２，ＹＭ２））が登録される。
【０１００】
データインタフェースの項目は、記帳情報要求電文形式、記帳情報応答電文形式、磁気情報設定形式、電文コードの項目を含む。記帳情報要求電文形式の項目には、ＡＴＭ１００または記帳機２００が記帳情報をホスト４００，５００に要求する際に送信する要求電文のフォーマットが登録される。記帳情報応答電文形式の項目には、ＡＴＭ１００または記帳機２００がホスト４００，５００から受信する応答電文のフォーマットが登録される。なお、電文形式の詳細については、説明を省略する。
【０１０１】
磁気情報設定形式の項目には、磁気情報記録部７２１に記録された磁気情報のデータフォーマット（以下、ＭＳフォーマットと記載する）が登録される。ＭＳフォーマットについては、後で図１１を用いて説明する。
【０１０２】
電文コードの項目には、電文で用いられるコードが登録される。コードには、たとえば、ＡＳＣＩＩ（American Standard Code for Information Interchange）コード、ＥＢＣＤＩＣ（Extended Binary Coded Decimal Interchange Code）コード、ＪＩＳ（Japanese Industrial Standards）コード等がある。
【０１０３】
なお、上述の仕様情報６００は一例に過ぎず、その他の情報を含むことができる。たとえば、仕様情報６００は、磁気情報記録部７２１に記録された磁気情報を読み出すために必要となる情報（たとえば、磁気ヘッド処理部１４１ａ，１４１ｂに含まれる複数の磁気ヘッドを制御するための情報）を含めることができる。
【０１０４】
次に、第２の実施形態のＭＳフォーマットの一例について図１１を用いて説明する。図１１は、第２の実施形態のＭＳフォーマットの一例を示す図である。
ＭＳフォーマット６１０は、磁気ストライプに記録された磁気情報のデータフォーマットの一例である。ＭＳフォーマット６１０は、ＡＴＭ１００や記帳機２００によって記録される情報のフォーマットである。たとえば、ＡＴＭ１００や記帳機２００は、通帳を用いた取引が行われた際に、ＭＳフォーマット６１０に従って情報を磁気ストライプに登録する。なお、ＭＳフォーマット６１０は、複数の金融機関において共通で用いられてもよいし、その他のデータ形式であってもよい。
【０１０５】
ＭＳフォーマット６１０は、金融機関番号、支店番号、科目番号、口座番号、記帳行番号、記帳頁番号、通帳残高の項目を含む。金融機関番号の項目には、通帳７００を発行した金融機関の名称が登録される。支店番号の項目には、金融機関の支店を識別する支店番号が登録される。科目番号の項目には、科目（たとえば、「普通」、「当座」、「貯蓄」等の口座種別）を識別する科目番号が登録される。口座番号の項目には、金融機関の口座を識別する口座番号が登録される。記帳行番号の項目には、通帳７００に記帳された最終行の行番号が登録される。記帳頁番号の項目には、通帳７００に記帳された最終行を含む頁番号が登録される。通帳残高の項目には、通帳７００に記帳された残高の金額が登録される。
【０１０６】
次に、第２の実施形態の通帳記帳処理について図１２および図１３を用いて説明する。図１２は、第２の実施形態の通帳記帳処理のフローチャートを示す図である（その１）。図１３は、第２の実施形態の通帳記帳処理のフローチャートを示す図である（その２）。
【０１０７】
通帳記帳処理は、ＡＴＭ１００および記帳機２００が通帳を受け付け、通帳の記帳を行う処理である。ＡＴＭ１００の制御部１１０（プロセッサ１１１）および記帳機２００の制御部（プロセッサ２１１）は、顧客からの通帳の挿入を検知し、通帳記帳処理を実行する。
【０１０８】
なお、以下の説明においては、ＡＴＭ１００の制御部１１０が通帳記帳処理を実行する内容について説明するが、記帳機２００の制御部２１０においても同様であるため、制御部２１０についての説明は省略する。
【０１０９】
［ステップＳ１１］制御部１１０は、通帳処理ユニット１４０ａを介して通帳出入口１４４に挿入された通帳７００を受け付ける。
［ステップＳ１２］制御部１１０は、通帳７００をスキャンし、画像情報（通帳表表紙７１０の画像、通帳裏表紙７２０の画像および通帳頁７３０の画像）を取得する。具体的には、制御部１１０は、通帳処理ユニット制御部１４７を介して通帳７００のスキャンを行うようイメージスキャナ１４２ａに指示を送信し、イメージスキャナ１４２ａがスキャンした画像を取得する。
【０１１０】
［ステップＳ１３］制御部１１０は、通帳７００を発行した金融機関を特定する。制御部１１０は、ステップＳ１２で取得した通帳表表紙７１０の画像および通帳裏表紙７２０の画像について文字認識処理を行い、通帳７００を発行した金融機関名を取得する。
【０１１１】
［ステップＳ１４］制御部１１０は、ステップＳ１３で特定した金融機関の仕様情報６００をホスト４００に要求する。
ここでは、ホスト４００がＡＴＭ１００と提携している金融機関で用いられるコンピュータであるものとし、各金融機関の仕様情報６００がホスト４００の記憶部４９０に記憶されているものとする。ホスト４００は、制御部１１０から特定した金融機関の仕様情報６００を要求する電文を受信し、記憶部４９０から特定した金融機関の仕様情報６００を取得し、制御部１１０に送信する。
【０１１２】
［ステップＳ１５］制御部１１０は、ステップＳ１４で要求した金融機関の仕様情報６００をホスト４００から受信する。
［ステップＳ１６］制御部１１０は、ステップＳ１５で受信した仕様情報６００に基づき、通帳７００の磁気情報を読み取る。具体的には、制御部１１０は、受信した仕様情報６００に含まれる磁気情報部座標を読み出し、通帳処理ユニット制御部１４７を介して通帳７００に付与された磁気ストライプの読み取りを行うよう磁気ヘッド処理部１４１ａ，１４１ｂに指示を行う。制御部１１０は、通帳処理ユニット制御部１４７を介して磁気ヘッド処理部１４１ａ，１４１ｂが読み取った磁気情報を取得する。
【０１１３】
［ステップＳ１７］制御部１１０は、ステップＳ１５で受信した仕様情報６００に基づき、通帳７００の表紙の画像情報から科目番号と口座番号を取得する。
具体的には、制御部１１０は、受信した仕様情報６００に含まれる科目印刷座標を読み出し、通帳７００の画像情報における科目印刷座標から科目（口座種別）を文字認識し、認識した科目に対応する科目番号を取得する。なお、ＡＴＭ１００は、科目番号と科目を示す文字とを対応づけた科目管理情報（たとえば、「科目番号１：普通」、「科目番号２：当座」等）を記憶部１９０に記憶しているものとする。
【０１１４】
また、制御部１１０は、受信した仕様情報６００に含まれる口座番号印刷座標を読み出し、通帳７００の画像情報における口座番号印刷座標から口座番号を文字認識し、認識した口座番号を取得する。
【０１１５】
［ステップＳ１８］制御部１１０は、ステップＳ１５で受信した仕様情報６００に基づき、通帳７００の頁の画像情報から最終行が印刷された頁番号と印刷行数とを取得する。
ここで、制御部１１０が頁番号を取得する方法が複数あるが、どちらであってもよい。たとえば、制御部１１０は、受信した仕様情報６００に含まれる頁番号印刷座標を読み出し、通帳７００の画像情報における頁番号印刷座標から頁番号を文字認識し、頁番号を取得する。また、制御部１１０は、受信した仕様情報６００に含まれるバーコード印刷座標を読み出し、通帳７００の画像情報におけるバーコード印刷座標からバーコードを認識し、頁番号を取得する。
【０１１６】
また、制御部１１０は、通帳７００の頁の画像情報に含まれる行数と各項目の印刷の有無に基づき、印刷行数を特定する。たとえば、制御部１１０は、通帳頁７３０の画像情報を取得した場合、２行目に印刷が行われており、３行目には印刷が行われていないと判定し、印刷行数は２行目であると特定できる。
【０１１７】
［ステップＳ１９］制御部１１０は、通帳７００の頁の画像情報の残高の画像から残高を特定する。たとえば、制御部１１０は、通帳頁７３０の画像情報を取得した場合、印刷行数２行目の最終行の画像から残高を「１，４００，０００」と特定する。
【０１１８】
［ステップＳ２０］制御部１１０は、磁気情報と画像情報とが一致するか否かを判定する。具体的には、制御部１１０は、磁気ヘッド処理部１４１ａ，１４１ｂが取得した磁気ストライプから読み出した磁気情報と、イメージスキャナ１４２ａ，１４２ｂが取得した通帳７００の画像情報から文字認識した情報とが一致するか否かを判定する。
【０１１９】
制御部１１０は、磁気情報と画像情報とが一致する場合はステップＳ２１にすすむ。制御部１１０は、複数の情報（金融機関番号、支店番号、科目番号、口座番号、通帳残高）について一致した場合、磁気情報と画像情報とが一致したと判定する。なお、制御部１１０は、画像情報について文字認識を行い取得した金融機関名称と対応する金融機関番号を仕様情報６００から取得することで、磁気情報から取得した金融機関番号と比較することができる。
【０１２０】
制御部１１０は、磁気情報と画像情報とが一致しない場合、通帳が不適切である旨をディスプレイ１２０ａに表示し処理を終了する。たとえば、制御部１１０は、磁気情報として磁気ストライプから読み出した口座番号と、通帳７００の画像情報から文字認識を行い取得した口座番号とが異なる場合、磁気情報と画像情報が一致しないと判定する。
【０１２１】
このように、制御部１１０が、磁気情報と画像情報とが一致するか否かを判定することにより、偽造された通帳が使用されることを回避することができる。
［ステップＳ２１］制御部１１０は、提携している金融機関を介して、特定した金融機関に記帳情報要求電文を送信する。ここでは、ホスト５００が特定した金融機関で用いられるコンピュータであるものとし、通帳７００の口座情報や記帳情報がホスト５００の記憶部５９０に記憶されているものとする。具体的には、制御部１１０は、ホスト４００に記帳情報要求電文を送信する。ホスト４００は、記帳情報要求電文を受信し、ホスト５００に送信する。なお、ホスト４００は、特定した金融機関に対して記帳情報要求電文を振り分けて送信する機能を有するものとする。また、ホスト４００は、記帳情報要求電文に対する応答（記帳情報応答電文）を特定した金融機関から受信し、ＡＴＭ１００に送信する機能を有するものとする。
【０１２２】
記帳情報要求電文は、通帳７００に印刷する情報である記帳情報を要求する電文であり、金融機関番号、支店番号、科目番号、口座番号等を含む電文である。制御部１１０は、受信した仕様情報６００に含まれる記帳情報要求電文形式に基づき記帳情報要求電文を生成する。
【０１２３】
なお、ここでは、提携している金融機関（ＡＴＭ１００が専用回線で接続している金融機関）と、特定した金融機関（通帳７００を発行した金融機関）とが異なる場合について説明したが、これは一例に過ぎない。提携している金融機関と特定した金融機関が同一である場合、ホスト４００とホスト５００の機能を単一のコンピュータで実現してもよい。
【０１２４】
［ステップＳ２２］制御部１１０は、提携している金融機関を介して、特定した金融機関から記帳情報応答電文を受信する。具体的には、ホスト５００が記帳情報応答電文を生成し、ホスト４００に送信する。ホスト４００は、記帳情報応答電文を受信し、ＡＴＭ１００に送信する。制御部１１０は、記帳情報応答電文をホスト４００から受信する。
【０１２５】
記帳情報応答電文は、記帳情報要求電文に対して応答する電文であり、通帳７００にまだ印刷されていない記帳情報（年月日、摘要、お支払金額、お預り金額、残高）を含む電文である。なお、記帳情報応答電文は、通帳７００に全ての記帳情報が印刷済みである場合には、その旨（未記帳情報が無い旨）の情報を含む。
【０１２６】
［ステップＳ２３］制御部１１０は、受信した記帳情報応答電文に記帳対象の情報を含むか否かを判定する。制御部１１０は、記帳対象の情報を含む場合はステップＳ２４にすすむ。制御部１１０は、記帳対象の情報を含まない場合（未記帳の情報が無い場合）、未記帳の情報が無い旨をディスプレイ１２０ａに表示し、処理を終了する。
【０１２７】
［ステップＳ２４］制御部１１０は、記帳情報応答電文に基づき、印刷画像情報を生成する。具体的には、制御部１１０は、仕様情報６００に含まれる電文コードに基づき、記帳情報応答電文に含まれる記帳情報（数字や符号で記述された記帳情報）を印刷画像情報（通帳に印刷する画像）に変換する。
【０１２８】
［ステップＳ２５］制御部１１０は、ステップＳ２４で生成した印刷画像情報を通帳７００に印刷する。具体的には、制御部１１０は、通帳処理ユニット制御部１４７に対し、印刷画像情報を印字部１４３ａ，１４３ｂを用いて通帳７００に印刷するよう指示を出す。印字部１４３ａ，１４３ｂは、印刷画像情報をインクジェットプリンタの機能により通帳７００に印刷することができる。
【０１２９】
なお、印字部１４３ａ，１４３ｂは、提携した金融機関と特定した金融機関とが同一の金融機関である場合、ドットインパクトプリンタの機能により印字を行うこともできる。言い換えると、制御部１１０は、提携した金融機関と特定した金融機関とが異なる場合、通帳処理ユニット制御部１４７に対して印刷画像情報をインクジェットプリンタの機能で印刷する指示を行うことができる。また、制御部１１０は、提携した金融機関と特定した金融機関とが同一の金融機関である場合、通帳処理ユニット制御部１４７に対して記帳情報をドットインパクトプリンタの機能で印刷する指示を行うことができる。
【０１３０】
［ステップＳ２６］制御部１１０は、印刷確認処理を行う。具体的には、制御部１１０は、ステップＳ２５において通帳７００に印刷した頁をスキャンして印刷部分の画像データを取得し、印刷部分の画像データと印刷画像情報とを照合して一致するか否かを確認する。制御部１１０は、印刷部分の画像データに擦れや滲み等の不具合が存在する場合（照合結果が一致しない場合）、ホスト４００，５００に通知し、印刷部分の画像データを記帳不具合データとして保存し、印刷の不具合部分に対するリカバリ（通帳記帳処理の再実行）を可能とする。制御部１１０は、印刷部分の画像データと印刷画像情報とが一致する場合、印刷完了であるものとする。
【０１３１】
また、制御部１１０は、通帳処理ユニット制御部１４７を介して磁気ヘッド処理部１４１ａ，１４１ｂに対して、記帳情報に基づき磁気情報の書き換え（記帳行番号、記帳頁番号、通帳残高を更新）の指示を行う。こうして、制御部１１０は、通帳頁７３０に記帳された印刷内容と磁気情報記録部７２１に記憶された磁気情報とを一致させる。
【０１３２】
制御部１１０は、通帳処理ユニット制御部１４７から通帳７００に印刷画像情報の印刷を行った旨の通知を受け、通帳処理ユニット制御部１４７に対して通帳７００を通帳出入口１４４から排出する指示を行い、通帳記帳処理を終了する。
【０１３３】
このように、制御部１１０は、磁気情報と画像情報とが一致した場合に通帳の記帳を行う処理を実行し、一致しない場合（偽造された通帳が使用された場合等）には通帳の記帳を行う処理を実行しない。これにより、制御部１１０は、偽造された通帳に記帳することを回避することが可能となる。
【０１３４】
また、制御部１１０は、通帳７００の発行元である金融機関の仕様情報６００を取得し、仕様情報６００に基づいて電文に含まれるコードを解析し、印刷画像情報に変換して通帳７００に印刷する。このため、制御部１１０は、金融機関ごとに異なるコードが使用されている場合でも、異なるコードを解析して通帳７００に印刷可能な印刷画像情報に変換することで、通帳７００への印刷処理を実行することが可能である。
【０１３５】
こうして、情報処理システム３００は、複数の金融機関それぞれが発行した通帳７００に対する記帳を行うことができる。また、情報処理システム３００は、画像情報と磁気情報とが一致することを確認した上で記帳を実行するため、通帳を画像情報に基づいて処理する際のセキュリティを向上できる。
【０１３６】
なお、上記の処理機能は、コンピュータによって実現することができる。その場合、通帳処理装置１０、ＡＴＭ１００、記帳機２００、情報処理装置２０およびホスト４００，５００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ（Compact Disc Read Only Memory）／ＲＷ（ReWritable）等がある。光磁気記録媒体には、ＭＯ等がある。
【０１３７】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１３８】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１３９】
また、上記の処理機能の少なくとも一部を、ＤＳＰ、ＡＳＩＣ、ＰＬＤ等の電子回路で実現することもできる。
【符号の説明】
【０１４０】
１０  通帳処理装置
１１，２１  制御部
１２  画像読取部
１３  磁気読取部
１４  印刷部
１５，２２  記憶部
２０  情報処理装置
３１  仕様情報
４０  通帳
４１  磁気情報記録部
５０  情報処理システム
【図１】
2019185087.tif 000003
【図２】
2019185087.tif 000004
【図３】
2019185087.tif 000005
【図４】
2019185087.tif 000006
【図５】
2019185087.tif 000007
【図６】
2019185087.tif 000008
【図７】
2019185087.tif 000009
【図８】
2019185087.tif 000010
【図９】
2019185087.tif 000011
【図１０】
2019185087.tif 000012
【図１１】
2019185087.tif 000013
【図１２】
2019185087.tif 000014
【図１３】
2019185087.tif 000015